(57)【要約】【課題】周辺装置の設定を容易におこなうことができる映像表示装置を提供する。【解決手段】映像表示装置１は、第１映像信号入力部２または第２映像信号入力部３から入力した映像信号を表示部５に表示する。検出部４は、第１映像信号入力部２と第２映像信号入力部３のうちから表示部５に表示する映像信号の入力元を検出する。周辺装置６は、通信部７と、生成部８と、識別情報記憶部９を備える。識別情報記憶部９は、周辺装置６を識別可能な情報である第１識別情報１０を記憶する。生成部８は、検出部４から検出結果を受け付け、判別情報１１と第１識別情報１０とから第２識別情報１２を生成する。通信部７は、第２識別情報１２を用いて外部装置１３と通信できる。したがって、映像表示装置１は、表示部５が表示する表示内容と、周辺装置６とを関連付けた第２識別情報１２を出力することができる。【選択図】図１
2014149630.tif 000002
【特許請求の範囲】
【請求項１】
外部装置から映像信号を入力して映像を表示可能な映像表示装置であって、
前記映像信号にもとづいて映像を表示する表示部と、
前記外部装置と通信可能な周辺装置と、
前記映像信号を入力可能な第１映像信号入力部と、
前記映像信号を入力可能な第２映像信号入力部と、
前記第１映像信号入力部と前記第２映像信号入力部のうちから前記表示部に表示する映像信号の入力元を検出する検出部と、
前記周辺装置にあらかじめ設定されて前記外部装置が前記周辺装置を識別可能な第１識別情報に、前記入力元を判別可能な判別情報を付加して第２識別情報を生成する生成部と、
前記周辺装置が前記第２識別情報を用いて前記外部装置と通信可能な通信部と、
を備えることを特徴とする映像表示装置。
【請求項２】
前記第１映像信号入力部が入力する第１映像信号と、前記第２映像信号入力部が入力する第２映像信号とは、前記映像表示装置が表示する映像が異なる映像信号であることを特徴とする請求項１記載の映像表示装置。
【請求項３】
前記周辺装置として、１つの第１周辺装置と、１以上の第２周辺装置とを備え、
前記第１周辺装置は、前記第２周辺装置がおこなう通信を中継することを特徴とする請求項１または請求項２記載の映像表示装置。
【請求項４】
前記第１周辺装置は、前記生成部を備え、
前記第１周辺装置が備える前記生成部は、中継する通信に含まれる前記第２周辺装置に設定された第１識別情報に、前記判別情報を付加して前記第２識別情報を生成することを特徴とする請求項３記載の映像表示装置。
【請求項５】
前記第１映像信号入力部は、アナログ映像信号を入力し、前記第２映像信号入力部は、デジタル映像信号を入力することを特徴とする請求項１乃至請求項４のいずれか１つに記載の映像表示装置。
【請求項６】
外部装置から映像信号を入力して映像を表示可能な映像表示装置が備える周辺装置の設定方法であって、
前記映像表示装置は、
前記映像信号を入力可能な第１映像信号入力部と第２映像信号入力部のうちから前記映像信号にもとづいて映像を表示する表示部に表示する映像信号の入力元を検出し、
前記周辺装置にあらかじめ設定されて前記外部装置が前記周辺装置を識別可能な第１識別情報に、前記入力元を判別可能な判別情報を付加して第２識別情報を生成し、
前記外部装置に対する前記周辺装置の識別情報に前記第２識別情報を設定する、
処理を実行することを特徴とする設定方法。
【請求項７】
映像を表示可能な第１映像表示装置と第２映像表示装置とを備える情報処理装置であって、
前記第１映像表示装置または前記第２映像表示装置に第１映像信号を出力する第１映像信号出力部と、
前記第１映像表示装置または前記第２映像表示装置に第２映像信号を出力する第２映像信号出力部と、
前記第１映像表示装置が備える周辺装置および前記第２映像表示装置が備える周辺装置と通信可能な第１通信部と、
前記第１映像表示装置が備える周辺装置または前記第２映像表示装置が備える周辺装置が通知する第２識別情報にもとづいて、前記第１映像表示装置および前記第２映像表示装置のうちから当該周辺装置の所属先を判別する判別部と、
を備え、
前記第１映像表示装置および前記第２映像表示装置は、それぞれ、
前記第１映像信号または前記第２映像信号にもとづいて映像を表示する表示部と、
前記第１映像信号を入力可能な第１映像信号入力部と、
前記第２映像信号を入力可能な第２映像信号入力部と、
前記第１映像信号入力部と前記第２映像信号入力部のうちから前記表示部に表示する映像信号の入力元を検出する検出部と、
前記周辺装置にあらかじめ設定されて前記周辺装置を識別可能な第１識別情報に、前記入力元を判別可能な判別情報を付加して前記第２識別情報を生成する生成部と、
前記周辺装置が前記第２識別情報を用いて前記第１通信部と通信可能な第２通信部と、
を備えることを特徴とする情報処理装置。
【請求項８】
映像を表示可能な映像表示装置を備える情報処理装置の設定方法であって、
前記情報処理装置は、
前記映像表示装置に第１映像信号または第２映像信号を出力し、
前記映像表示装置は、
前記第１映像信号を入力可能な第１映像信号入力部と前記第２映像信号を入力可能な第２映像信号入力部のうちから前記映像表示装置に表示する映像信号の入力元を検出し、
前記映像表示装置が備える周辺装置にあらかじめ設定されて前記周辺装置を識別可能な第１識別情報に、前記入力元を判別可能な判別情報を付加して前記第２識別情報を生成し、
前記第２識別情報を前記情報処理装置に通知し、
前記情報処理装置は、
前記第２識別情報にもとづいて前記周辺装置の所属先を、前記第１映像信号による表示をおこなう映像表示装置または前記第２映像信号による表示をおこなう映像表示装置に設定する、
処理を実行することを特徴とする設定方法。
【発明の詳細な説明】
【技術分野】
【０００１】
本発明は、映像表示装置、情報処理装置、および設定方法に関する。
【背景技術】
【０００２】
スーパーマーケットやコンビニエンスストアをはじめとして、商品販売の現場では、ＰＯＳ（Point Of Sale）端末装置（ＰＯＳレジ）が広く普及している。近年のＰＯＳ端末装置は、店員用のＬＣＤ（Liquid Crystal Display：液晶ディスプレイ）、顧客用のＬＣＤなど複数のＬＣＤを備えるものがあり、ＬＣＤにより各種情報を表示可能にしている。
【０００３】
このようなＬＣＤは、タッチパネルや近接センサを内蔵し、店員用のＬＣＤと顧客用のＬＣＤとでタッチパネルや近接センサの役割を異ならせている。たとえば、店員用のＬＣＤのタッチパネルは、店員による商品登録操作を受け付け、顧客用のＬＣＤのタッチパネルは、年齢確認操作を受け付けるなど、その用途、操作受付タイミング、入力操作受付範囲などが異なる。また、店員用のＬＣＤの近接センサは、店員不在時にＬＣＤを省電力モードに移行させるための店員検出に用いられ、顧客用のＬＣＤの近接センサは、顧客に向けてＬＣＤにより広告を表示する場合の顧客検出に用いられるなど、その用途、検出時間などが異なる。
【０００４】
これら周辺装置（タッチパネルや近接センサなど）は、ＵＳＢ（Universal Serial Bus）によりＰＯＳ端末装置と接続するため、ＰＯＳ端末装置は、周辺装置が店員用のＬＣＤに備えられるものか、顧客用のＬＣＤに備えられるものかを、別途設定する必要がある。
【０００５】
大規模なスーパーマーケットには、数十台からのＰＯＳ端末装置があるため、設定作業をおこなう担当者にかかる負担が大きなものであった。また、設定作業における設定ミスを軽減するためにも、設定作業の容易化が求められていた。
【０００６】
そこで、ＰＯＳ端末装置への周辺装置の装着状況を容易に管理できるＰＯＳ端末装置についての提案（たとえば、特許文献１参照）や、ＰＯＳ端末装置の設定時のユーザインタフェースについての提案（たとえば、特許文献２参照）がある。
【先行技術文献】
【特許文献】
【０００７】
【特許文献１】特開２０１２−１０８７３２号公報
【特許文献２】特開２００４−１７１０６５号公報
【発明の概要】
【発明が解決しようとする課題】
【０００８】
しかしながら、周辺装置に固有の識別情報により周辺装置を管理可能であっても、周辺装置が店員用のＬＣＤに備えられるものか、顧客用のＬＣＤに備えられるものかを、判別するのは、依然として困難である。また、設定時のユーザインタフェースの改善は、設定作業自体を必要とする点で抜本的な改善を図るものではない。
【０００９】
そこで、本発明は、ＬＣＤなどの映像表示装置に備えられる周辺装置の設定を容易におこなうことができる映像表示装置、情報処理装置、および設定方法の提供を目的とする。
【課題を解決するための手段】
【００１０】
上記目的を達成するために、以下に示すような、映像表示装置が提供される。映像表示装置は、外部装置から映像信号を入力して映像を表示可能であって、表示部と、周辺装置と、第１映像信号入力部と、第２映像信号入力部と、検出部と、生成部と、通信部と、を備える。表示部は、映像信号にもとづいて映像を表示する。周辺装置は、外部装置と通信できる。第１映像信号入力部は、映像信号を入力できる。第２映像信号入力部は、映像信号を入力できる。検出部は、第１映像信号入力部と第２映像信号入力部のうちから表示部に表示する映像信号の入力元を検出する。生成部は、周辺装置にあらかじめ設定されて外部装置が周辺装置を識別可能な第１識別情報に、入力元を判別可能な判別情報を付加して第２識別情報を生成する。通信部は、周辺装置が第２識別情報を用いて外部装置と通信できる。
【００１１】
また、上記目的を達成するために、以下に示すような、設定方法が提供される。設定方法は、以下に示すような処理を、周辺装置を備え、外部装置から映像信号を入力して映像を表示可能な映像表示装置に実行させる。映像表示装置は、映像信号を入力可能な第１映像信号入力部と第２映像信号入力部のうちから映像信号にもとづいて映像を表示する表示部に表示する映像信号の入力元を検出し、周辺装置にあらかじめ設定されて外部装置が周辺装置を識別可能な第１識別情報に、入力元を判別可能な判別情報を付加して第２識別情報を生成し、外部装置に対する周辺装置の識別情報に第２識別情報を設定する、処理を実行する。
【００１２】
また、上記目的を達成するために、以下に示すような、情報処理装置が提供される。情報処理装置は、映像を表示可能な第１映像表示装置と第２映像表示装置とを備え、さらに、第１映像信号出力部と、第２映像信号出力部と、第１通信部と、判別部と、を備える。第１映像信号出力部は、第１映像表示装置または第２映像表示装置に第１映像信号を出力する。第２映像信号出力部は、第１映像表示装置または第２映像表示装置に第２映像信号を出力する。第１通信部は、第１映像表示装置が備える周辺装置および第２映像表示装置が備える周辺装置と通信できる。判別部は、第１映像表示装置が備える周辺装置または第２映像表示装置が備える周辺装置が通知する第２識別情報にもとづいて、第１映像表示装置および第２映像表示装置のうちから周辺装置の所属先を判別する。第１映像表示装置および第２映像表示装置は、それぞれ、表示部と、第１映像信号入力部と、第２映像信号入力部と、検出部と、生成部と、第２通信部と、を備える。表示部は、第１映像信号または第２映像信号にもとづいて映像を表示する。第１映像信号入力部は、第１映像信号を入力できる。第２映像信号入力部は、第２映像信号を入力できる。検出部は、第１映像信号入力部と第２映像信号入力部のうちから表示部に表示する映像信号の入力元を検出する。生成部は、周辺装置にあらかじめ設定されて周辺装置を識別可能な第１識別情報に、入力元を判別可能な判別情報を付加して第２識別情報を生成する。第２通信部は、周辺装置が第２識別情報を用いて第１通信部と通信できる。
【００１３】
また、上記目的を達成するために、以下に示すような、設定方法が提供される。設定方法は、以下に示すような処理を、映像を表示可能な映像表示装置、および映像表示装置を備える情報処理装置に実行させる。情報処理装置は、映像表示装置に第１映像信号または第２映像信号を出力する処理を実行し、映像表示装置は、第１映像信号を入力可能な第１映像信号入力部と第２映像信号を入力可能な第２映像信号入力部のうちから映像表示装置に表示する映像信号の入力元を検出し、映像表示装置が備える周辺装置にあらかじめ設定されて周辺装置を識別可能な第１識別情報に、入力元を判別可能な判別情報を付加して第２識別情報を生成し、第２識別情報を情報処理装置に通知する処理を実行し、情報処理装置は、第２識別情報にもとづいて周辺装置の所属先を、第１映像信号による表示をおこなう映像表示装置または第２映像信号による表示をおこなう映像表示装置に設定する処理を実行する。
【発明の効果】
【００１４】
上記の映像表示装置、情報処理装置、および設定方法は、映像表示装置に備えられる周辺装置の設定を容易におこなうことができる。
【図面の簡単な説明】
【００１５】
【図１】第１の実施の形態の映像表示装置の構成例を示す図である。
【図２】第２の実施の形態のＰＯＳシステムの一例を示す図である。
【図３】第２の実施の形態の映像表示装置の前面側外観の一例を示す図である。
【図４】第２の実施の形態の映像表示装置の背面側外観の一例を示す図である。
【図５】第２の実施の形態の制御ユニット端子板の外観の一例を示す図である。
【図６】第２の実施の形態のチェッカユニットのハードウェア構成例を示す図である。
【図７】第２の実施の形態の映像表示装置のハードウェア構成例を示す図である。
【図８】第２の実施の形態のタッチパネルの識別情報変更手順の一例を示すシーケンス図である。
【図９】第２の実施の形態の変更前の識別情報の一例を示す図である。
【図１０】第２の実施の形態の変更後の識別情報の一例を示す図である。
【図１１】第２の実施の形態の変更後の識別情報の一例を示す図である。
【図１２】第２の実施の形態の映像信号入力検出処理のフローチャートである。
【図１３】第２の実施の形態の識別情報変更処理のフローチャートである。
【図１４】第２の実施の形態の周辺装置設定処理のフローチャートである。
【図１５】第３の実施の形態の映像表示装置のハードウェア構成例を示す図である。
【発明を実施するための形態】
【００１６】
以下、本技術の実施の形態を図面を参照して説明する。
［第１の実施の形態］
以下、第１の実施の形態の映像表示装置を、図面を参照して詳細に説明する。
【００１７】
図１は、第１の実施の形態の映像表示装置の構成例を示す図である。
映像表示装置１は、外部装置１３から映像信号を入力して映像を表示する。映像表示装置１は、外部装置１３から映像信号を入力するための第１映像信号入力部２と第２映像信号入力部３とを備える。映像表示装置１は、第１映像信号入力部２または第２映像信号入力部３から入力した映像信号を表示部５に表示する。表示部５は、映像を表示するディスプレイであり、たとえば、ＬＣＤやＯＥＬＤ（Organic ElectroLuminescence Display）、ＣＲＴ（Cathode Ray Tube）などがある。
【００１８】
映像表示装置１は、外部装置１３と通信可能な周辺装置６を備える。たとえば、映像表示装置１は、周辺装置６を内蔵する。周辺装置６は、外部装置１３とＵＳＢ接続する。映像表示装置１は、たとえば、ＰＯＳ端末装置の店員用ディスプレイ、または顧客用ディスプレイであり、第１映像信号入力部２から映像信号が入力された場合に店員用ディスプレイとなり、第２映像信号入力部３から映像信号が入力された場合に顧客用ディスプレイとなる。
【００１９】
周辺装置６は、表示部５が表示する表示内容と対応する制御をおこなう。たとえば、周辺装置６は、タッチパネルであり、タッチパネルが検出する操作入力にもとづいて表示部５が表示する表示内容が変化し、表示部５が表示する。外部装置１３は、このような表示制御をおこなうために表示部５と周辺装置６との対応関係を把握することが求められる。
【００２０】
映像表示装置１は、検出部４を備える。検出部４は、第１映像信号入力部２と第２映像信号入力部３のうちから表示部５に表示する映像信号の入力元を検出する。たとえば、検出部４は、映像信号の検出や入力端子のコネクタ接続検出などによって、第１映像信号入力部２と第２映像信号入力部３のうちいずれから映像信号が入力されているかを検出することができる。なお、検出部４は、第１映像信号入力部２と第２映像信号入力部３を監視する入力元の検出に限らず、図示しない映像処理部などが扱う信号による入力元の検出であってもよい。検出部４は、映像信号の入力元が第１映像信号入力部２と第２映像信号入力部３であるかを検出した検出結果を周辺装置６に通知する。
【００２１】
周辺装置６は、通信部７と、生成部８と、識別情報記憶部９を備える。識別情報記憶部９は、不揮発性の記憶装置（たとえば、ＲＯＭ（Read Only Memory）周辺装置６を識別可能な情報である第１識別情報１０を記憶する。たとえば、第１識別情報１０は、ベンダーＩＤ、プロダクトＩＤ、シリアル番号などがあり、周辺装置６を識別可能であれば、複数の情報のうちの一部または全部あるいはいくつかの組合せであってもよい。
【００２２】
生成部８は、検出部４から検出結果を受け付ける。生成部８は、検出結果にもとづく判別情報１１と第１識別情報１０とから第２識別情報１２を生成する。なお、生成部８は、検出部４から判別情報１１を取得してもよい。
【００２３】
たとえば、生成部８は、検出部４が第１映像信号入力部２からの映像信号の入力を検出しているときに、第１識別情報１０「ｉｄ：ｘ０００」に判別情報１１「ｉｎｆ：０」を付加して第２識別情報１２「ｎｅｗ＿ｉｄ：ｘ０００」を生成する。また、生成部８は、検出部４が第２映像信号入力部３からの映像信号の入力を検出しているときに、第１識別情報１０「ｉｄ：ｘ０００」に判別情報１１「ｉｎｆ：１」を付加して第２識別情報１２「ｎｅｗ＿ｉｄ：ｘ００１」を生成する。
【００２４】
通信部７は、第２識別情報１２を用いて外部装置１３と通信できる。したがって、映像表示装置１は、表示部５が表示する表示内容と、周辺装置６とを関連付けた第２識別情報１２を出力することができる。
【００２５】
このように、外部装置１３は、第１映像信号入力部２と第２映像信号入力部３のうちいずれから入力した映像信号にもとづく表示をおこなう映像表示装置１に備えられる周辺装置６であるかを判別することができる。これにより、映像表示装置１は、外部装置１３による周辺装置６の設定の容易化を図ることができる。
［第２の実施の形態］
次に、第２の実施の形態のＰＯＳ端末装置を備えるＰＯＳシステムについて図２を用いて説明する。図２は、第２の実施の形態のＰＯＳシステムの一例を示す図である。
【００２６】
ＰＯＳシステム１００は、ネットワーク２０１と、ネットワーク２０１に接続するＰＯＳ端末装置１０１とＰＯＳサーバ２００を備える。ＰＯＳ端末装置１０１は、販売時点情報管理をおこなうための端末である。なお、図２は、ＰＯＳ端末装置１０１を１台図示するが、ＰＯＳシステム１００は、図示しない複数台のＰＯＳ端末装置１０１を備える。ＰＯＳサーバ２００は、ＰＯＳ端末装置１０１により登録された販売情報を一元管理する。また、ＰＯＳサーバ２００は、商品を識別するための商品コードや価格などを登録した商品マスタを管理する。
【００２７】
ＰＯＳ端末装置１０１は、キャッシャユニット１１０と、チェッカユニット１２０を有する。
キャッシャユニット１１０は、主として販売代金の受領作業をおこなうためのユニットである。キャッシャユニット１１０は、制御ユニット１１１、自動釣銭機１１２、キャッシュドロア１１３、自動釣札機１１４、キーボード１１５、ディスプレイ１１７、カスタマディスプレイ１１８、プリンタ１１９を有する。
【００２８】
制御ユニット１１１は、キャッシャユニット１１０を制御するとともに、ＰＯＳ端末装置１０１を統括的に制御するコンピュータである。自動釣銭機１１２は、顧客から受け取った硬貨の入金と、釣銭の出金とをおこなう。自動釣札機１１４は、顧客から受け取った紙幣の入金と、釣札の出金とをおこなう。キャッシュドロア１１３は、硬貨および紙幣を収納する収納庫である。ディスプレイ１１７は、店員側に表示部を向けた映像表示装置であり、取引作業をおこなうための所定のＧＵＩ（Graphical User Interface）を表示する。キーボード１１５は、ディスプレイ１１７に表示されたＧＵＩを操作するための入力装置である。カスタマディスプレイ１１８は、顧客側に表示部を向けた映像表示装置であり、たとえば、商品購入代金の合計額、顧客からの預かり金額、釣銭金額、店舗からの案内や広告などを表示する。プリンタ１１９は、顧客との取引結果をロール紙に印字してレシートを発行する印刷装置である。
【００２９】
チェッカユニット１２０は、主として商品コードの入力作業をおこなうためのユニットである。チェッカユニット１２０は、制御ユニット１２１、スピーカ１２２、レーン台１２３、支柱１２４、固定スキャナ１２５、多項目キーボード１２６、ディスプレイ１２７、カスタマディスプレイ１２８を有する。
【００３０】
制御ユニット１２１は、チェッカユニット１２０を制御するコンピュータである。レーン台１２３は、支柱１２４を支持する。また、レーン台１２３には、顧客が持参した買い物かごや、買い物かごに投入された商品が載置される。支柱１２４は、スピーカ１２２、固定スキャナ１２５、多項目キーボード１２６、ディスプレイ１２７、カスタマディスプレイ１２８を支持する。固定スキャナ１２５は、商品に付与されたバーコードを読み取るための装置である。オペレータは、商品に付されたバーコードを固定スキャナ１２５に向けてかざすことで、固定スキャナ１２５を入力装置とした商品コードの入力をおこなう。商品コードの入力結果は、ディスプレイ１２７に表示されて、オペレータが商品コードの入力結果を確認することができる。ディスプレイ１２７は、店員側に表示部を向けた映像表示装置である。カスタマディスプレイ１２８は、顧客側に表示部を向けた映像表示装置であり、たとえば、商品コードを入力した商品の名称、単価、店舗からの案内や広告などを表示する。また、スピーカ１２２により音声で入力結果を報知する。多項目キーボード１２６は、オペレータの操作を受け付ける。
【００３１】
次に、キャッシャユニット１１０が備えるディスプレイ１１７とカスタマディスプレイ１１８、およびチェッカユニット１２０が備えるディスプレイ１２７とカスタマディスプレイ１２８について図３および図４を用いて説明する。図３は、第２の実施の形態の映像表示装置の前面側外観の一例を示す図である。図４は、第２の実施の形態の映像表示装置の背面側外観の一例を示す図である。
【００３２】
映像表示装置２０は、ディスプレイ１１７，１２７、およびカスタマディスプレイ１１８，１２８として用いられる。映像表示装置２０は、前面（表示面）側に、ＬＣＤモニタ２１と、周辺装置を備える。周辺装置は、タッチパネル２２と、近接センサ２３と、Ｗｅｂカメラ２４がある。周辺装置は、映像表示装置２０の筺体内部に内蔵するものであってもよいし、筺体外部に備えられるものであってもよい。ＬＣＤモニタ２１は、映像を表示する。タッチパネル２２は、ＬＣＤモニタ２１の前面に位置し、タッチパネル２２を透過して視認可能なＬＣＤモニタ２１の表示に対応するタッチ操作を検出する。近接センサ２３は、映像表示装置２０の前面側に位置する人体を検出する。Ｗｅｂカメラ２４は、映像表示装置２０を観察する観察者側を撮像する。
【００３３】
映像表示装置２０は、背面（表示面の裏面）側に、ＶＧＡ（Video Graphics Array）端子２６とＤＶＩ（Digital Visual Interface）端子２７の２つの映像信号入力端子と、電源コネクタ２８と、ＵＳＢ端子２９を備える。ＶＧＡ端子２６は、アナログＲＧＢコンポーネント映像信号を入力する端子である。ＤＶＩ端子２７は、デジタル映像信号を入力する端子である。なお、ＶＧＡ端子２６、ＤＶＩ端子２７は、２つの映像信号入力端子の一例であって、ＨＤＭＩ（High Definition Multimedia Interface）端子、ディスプレイポート（Display Port）端子など、その他の規格に準拠した端子であってもよいし、規格外の端子であってもよい。電源コネクタ２８は、映像表示装置２０に電源を供給するコネクタである。なお、映像表示装置２０は、電源コネクタ２８に代えてＰｏｗｅｒｅｄＵＳＢコネクタにより電源を供給されるものであってもよい。その場合、ＵＳＢ端子２９をＰｏｗｅｒｅｄＵＳＢ端子とすることができる。
【００３４】
ＵＳＢ端子２９は、タッチパネル２２、近接センサ２３、Ｗｅｂカメラ２４がそれぞれ外部装置と通信可能に接続するための端子である。なお、ＵＳＢ端子２９は、周辺装置が外部装置と通信可能に接続するための通信端子の一例であり、イーサネット（Ethernet）（登録商標）などその他の規格に準拠した端子であってもよいし、規格外の端子であってもよい。
【００３５】
なお、タッチパネル２２と、近接センサ２３と、Ｗｅｂカメラ２４は、ＵＳＢ端子２９を介して外部装置から電源供給を受けることができるが、電源コネクタ２８を介して電源供給を受けるものであってもよい。また、映像表示装置２０は、背面側に各種端子を設けたが、側面や下面に各種端子を設けるものであってもよいし、側面と下面などに分散配置するものであってもよい。
【００３６】
次に、制御ユニット１１１，１２１が備える制御ユニット端子板について図５を用いて説明する。図５は、第２の実施の形態の制御ユニット端子板の外観の一例を示す図である。
【００３７】
制御ユニット端子板３０は、制御ユニット１１１または制御ユニット１２１に備えられる。制御ユニット端子板３０は、ＶＧＡ端子３１と、ＤＶＩ端子３２と、２つのＵＳＢ端子３３（ＵＳＢ端子３３ａ，３３ｂ）を備える。ＶＧＡ端子３１は、アナログＲＧＢコンポーネント映像信号を出力する端子である。ＤＶＩ端子３２は、デジタル映像信号を出力する端子である。なお、ＶＧＡ端子３１、ＤＶＩ端子３２は、２つの映像信号出力端子の一例であって、ＨＤＭＩ端子、ディスプレイポート端子など、その他の規格に準拠した端子であってもよいし、規格外の端子であってもよい。
【００３８】
ＵＳＢ端子３３は、ＵＳＢ端子２９と接続して、周辺装置と通信可能に接続するための端子である。なお、ＵＳＢ端子３３は、周辺装置が外部装置と通信可能に接続するための通信端子の一例であり、イーサネットなどその他の規格に準拠した端子であってもよいし、規格外の端子であってもよい。
【００３９】
ＶＧＡ端子３１は、所要のケーブルを介して映像表示装置２０のＶＧＡ端子２６と接続する。制御ユニット１１１のＶＧＡ端子３１と接続する映像表示装置２０は、ディスプレイ１１７となる。制御ユニット１２１のＶＧＡ端子３１と接続する映像表示装置２０は、ディスプレイ１２７となる。
【００４０】
ＤＶＩ端子３２は、所要のケーブルを介して映像表示装置２０のＤＶＩ端子２７と接続する。制御ユニット１１１のＤＶＩ端子３２と接続する映像表示装置２０は、カスタマディスプレイ１１８となる。制御ユニット１２１のＤＶＩ端子３２と接続する映像表示装置２０は、カスタマディスプレイ１２８となる。
【００４１】
ＵＳＢ端子３３ａとＵＳＢ端子３３ｂは、制御ユニット１１１に備えられるものであればディスプレイ１１７またはカスタマディスプレイ１１８のいずれかのＵＳＢ端子２９と接続する。また、ＵＳＢ端子３３ａとＵＳＢ端子３３ｂは、制御ユニット１２１に備えられるものであればディスプレイ１２７またはカスタマディスプレイ１２８のいずれかのＵＳＢ端子２９と接続する。
【００４２】
次に、第２の実施の形態のチェッカユニット１２０のハードウェア構成について説明する。図６は、第２の実施の形態のチェッカユニットのハードウェア構成例を示す図である。
【００４３】
チェッカユニット１２０は、制御ユニット１２１に各機器を接続し、制御ユニット１２１により各機器を制御する。また、制御ユニット１２１は、制御ユニット１１１と通信可能に接続する。
【００４４】
制御ユニット１２１は、プロセッサ１２１ａによって装置全体が制御されている。プロセッサ１２１ａは、マルチプロセッサであってもよい。プロセッサ１２１ａは、たとえばＣＰＵ（Central Processing Unit）、ＭＰＵ（Micro Processing Unit）、ＤＳＰ（Digital Signal Processor）、ＡＳＩＣ（Application Specific Integrated Circuit）、またはＰＬＤ（Programmable Logic Device）である。またプロセッサ１２１ａは、ＣＰＵ、ＭＰＵ、ＤＳＰ、ＡＳＩＣ、ＰＬＤのうちの２以上の要素の組み合わせであってもよい。
【００４５】
プロセッサ１２１ａには、バス１２１ｇを介してＲＡＭ（Random Access Memory）１２１ｂ、ＨＤＤ（Hard Disk Drive）１２１ｃ、通信インタフェース１２１ｄ、グラフィック処理装置１２１ｅ、および入出力インタフェース１２１ｆが接続されている。
【００４６】
ＲＡＭ１２１ｂには、プロセッサ１２１ａに実行させるＯＳ（Operating System）のプログラムやアプリケーションプログラムの少なくとも一部が一時的に格納される。また、ＲＡＭ１２１ｂには、プロセッサ１２１ａによる処理に必要な各種データが格納される。ＨＤＤ１２１ｃには、ＯＳやアプリケーションプログラムが格納される。
【００４７】
グラフィック処理装置１２１ｅには、ディスプレイ１２７、カスタマディスプレイ１２８が接続されている。グラフィック処理装置１２１ｅは、プロセッサ１２１ａからの命令に従って、ディスプレイ１２７、カスタマディスプレイ１２８の画面（ＬＣＤモニタ２１）に画像を表示させる。
【００４８】
入出力インタフェース１２１ｆには、固定スキャナ１２５、タッチパネル２２ａ，２２ｂ、近接センサ２３ａ，２３ｂ、Ｗｅｂカメラ２４ａ，２４ｂ、多項目キーボード１２６、スピーカ１２２が接続されている。また、入出力インタフェース１２１ｆは、可搬型記録媒体１２９への情報の書込み、および可搬型記録媒体１２９への情報の読出しが可能な可搬型記録媒体インタフェースと接続可能になっている。入出力インタフェース１２１ｆは、固定スキャナ１２５、タッチパネル２２ａ，２２ｂ、近接センサ２３ａ，２３ｂ、Ｗｅｂカメラ２４ａ，２４ｂ、多項目キーボード１２６、可搬型記録媒体インタフェースから送られてくる信号を、バス１２１ｇを介してプロセッサ１２１ａに送信する。
【００４９】
通信インタフェース１２１ｄは、たとえば、ＲＳ−２３２Ｃ（Recommended Standard 232 version C）やＵＳＢ接続の接続形式でキャッシャユニット１１０に接続されている。通信インタフェース１２１ｄは、キャッシャユニット１１０との間でデータの送受信をおこなう。
【００５０】
以上のようなハードウェア構成によって、本実施の形態の処理機能を実現することができる。なお、キャッシャユニット１１０も同様のハードウェア構成で実現できる。
なお、チェッカユニット１２０、キャッシャユニット１１０は、それぞれＦＰＧＡ（Field Programmable Gate Array）やＤＳＰなどからなるモジュールを含んで構成することもでき、プロセッサ１２１ａを有しない構成とすることもできる。その場合、チェッカユニット１２０、キャッシャユニット１１０は、それぞれ不揮発性メモリ（たとえば、ＥＥＰＲＯＭ（Electrically Erasable and Programmable Read Only Memory）、フラッシュメモリ、フラッシュメモリ型メモリカードなど）を備え、モジュールのファームウェアを記憶する。不揮発性メモリは、可搬型記録媒体１２９、あるいは通信インタフェース１２１ｄを介してファームウェアを書き込むことができる。このようにチェッカユニット１２０、キャッシャユニット１１０は、不揮発性メモリに記憶されているファームウェアを書き換えることにより、ファームウェアの更新をすることもできる。
【００５１】
次に、第２の実施の形態の映像表示装置２０のハードウェア構成について図７を用いて説明する。図７は、第２の実施の形態の映像表示装置のハードウェア構成例を示す図である。
【００５２】
映像表示装置２０は、映像入力インタフェース５１と、映像入力インタフェース５２と、映像処理チップ５３と、ＬＣＤモニタ２１と、周辺装置としてＵＳＢ機器（ＵＳＢハブ５７、タッチパネル２２、近接センサ２３、Ｗｅｂカメラ２４）を備える。
【００５３】
映像入力インタフェース５１は、ＶＧＡ端子２６を含み、制御ユニット１１１または制御ユニット１２１が出力する店員向けの映像を表示する映像信号をＶＧＡ端子２６から入力して、映像処理チップ５３に出力する。映像入力インタフェース５２は、ＤＶＩ端子２７を含み、制御ユニット１１１または制御ユニット１２１が出力する顧客向けの映像を表示する映像信号をＤＶＩ端子２７から入力して、映像処理チップ５３に出力する。なお、映像処理チップ５３は、ＶＧＡ端子２６またはＤＶＩ端子２７のいずれか一方に所要のケーブルが接続されて、対応する映像入力インタフェース（映像入力インタフェース５１または映像入力インタフェース５２）から映像信号が入力される。
【００５４】
映像処理チップ５３は、映像処理部５４と、検出部５５を含む。映像処理部５４は、入力した映像信号をＬＣＤモニタ２１に対応する出力信号に変換する。映像処理部５４は、スケーラＩＣ（Integrated Circuit）などの映像処理専用チップである。検出部５５は、ＬＣＤモニタ２１が表示する映像が、映像入力インタフェース５１と映像入力インタフェース５２のうちいずれから入力された映像信号にもとづくものであるか（入力元）を検出する。検出部５５は、映像入力インタフェース５１または映像入力インタフェース５２からの映像信号の入力状態を監視することにより入力元の検出をおこなうことができる。なお、検出部５５は、ＶＧＡ端子２６またはＤＶＩ端子２７のコネクタ接続を監視して入力元の検出をおこなうものであってもよい。また、検出部５５は、映像処理部５４に入力された映像信号の形式（アナログＲＧＢコンポジット信号またはデジタル信号など）にもとづいて入力元の検出をおこなうものであってもよい。検出部５５は、検出結果（入力元）をタッチパネル２２、近接センサ２３、およびＷｅｂカメラ２４に通知する。
【００５５】
なお、映像処理部５４および検出部５５は、図６に示した制御ユニット１２１のハードウェア構成と同様の構成によっても、本実施の形態の処理機能を実現することができる。
ＵＳＢハブ５７は、ＵＳＢ機器を接続可能な複数の下流ポートを有し、ＵＳＢ端子２９を上流ポートとする。
【００５６】
タッチパネル２２は、生成部２２１と、識別情報記憶部２２２と、通信部２２３を含む。識別情報記憶部２２２は、タッチパネル２２を識別可能な識別情報を記憶する。生成部２２１は、検出部５５から通知された検出結果にもとづいて、映像表示装置２０が映像入力インタフェース５１と映像入力インタフェース５２のうちいずれの映像信号にもとづく表示をおこなっているかを判別可能な判別情報を、識別情報に付加する。生成部２２１は、識別情報（第１識別情報）に判別情報を付加して変更識別情報（第２識別情報）を生成する。なお、識別情報（第１識別情報）への判別情報の付加は、識別情報（第１識別情報）から変更識別情報（第２識別情報）への変更とみなすことができる。変更識別情報（第２識別情報）は、識別情報（第１識別情報）のすべての情報を保持（識別情報（第１識別情報）に対する判別情報の追加）してもよいし、一部または全部の情報を失うもの（識別情報（第１識別情報）に対する判別情報の置換）であってもよい。
【００５７】
通信部２２３は、ＵＳＢハブ５７を介して外部装置（制御ユニット１１１，１２１）と通信可能であり、外部装置に変更識別情報を通知する。
これにより、外部装置は、タッチパネル２２が、ＶＧＡ端子２６からの映像信号入力にもとづく表示をおこなう映像表示装置２０に備えられるのか、またはＤＶＩ端子２７からの映像信号入力にもとづく表示をおこなう映像表示装置２０に備えられるのかを判別可能になる。なお、外部装置は、ＶＧＡ端子３１が出力する映像信号が店員向けの表示に対応し、ＤＶＩ端子３２が出力する映像信号が顧客向けの表示に対応することを把握している。したがって、外部装置は、タッチパネル２２が店員向けの映像表示装置２０に備えられるのか、顧客向けの映像表示装置２０に備えられるのかを容易に検出することができるので、外部装置は、タッチパネル２２を店員操作用とするか顧客操作用とするかを容易に設定することができる。
【００５８】
近接センサ２３は、生成部２３１と、識別情報記憶部２３２と、通信部２３３を含む。識別情報記憶部２３２は、近接センサ２３を識別可能な識別情報を記憶する。生成部２３１および通信部２３３は、それぞれ生成部２２１、通信部２２３と同様である。
【００５９】
Ｗｅｂカメラ２４は、生成部２４１と、識別情報記憶部２４２と、通信部２４３を含む。識別情報記憶部２４２は、Ｗｅｂカメラ２４を識別可能な識別情報を記憶する。生成部２４１および通信部２４３は、それぞれ生成部２２１、通信部２２３と同様である。
【００６０】
次に、第２の実施の形態の映像表示装置２０が備えるタッチパネルの識別情報変更手順について図８を用いて説明する。図８は、第２の実施の形態のタッチパネルの識別情報変更手順の一例を示すシーケンス図である。
【００６１】
映像表示装置２０ａは、タッチパネル２２ａを備え、ＶＧＡ端子２６から映像信号を入力する。映像表示装置２０ｂは、タッチパネル２２ｂを備え、ＤＶＩ端子２７から映像信号を入力する。
【００６２】
制御ユニット１２１は、ＶＧＡ端子３１から映像信号（店員用）を出力する（Ｔ１１）。映像表示装置２０ａは、ＶＧＡ端子２６から映像信号を入力する（Ｔ１２）。制御ユニット１２１は、ＤＶＩ端子３２から映像信号（顧客用）を出力する（Ｔ２１）。映像表示装置２０ｂは、ＤＶＩ端子２７から映像信号を入力する（Ｔ２２）。
【００６３】
映像表示装置２０ａは、映像信号の入力元がＶＧＡ端子２６であることを検出し（Ｔ１３）、検出結果をタッチパネル２２ａに通知する（Ｔ１４）。タッチパネル２２ａは、識別情報記憶部２２２から識別情報を取得し（Ｔ１４）、検出結果すなわち入力元がＶＧＡ端子２６であるという判別情報を含むようにして識別情報を変更する（Ｔ１５）。
【００６４】
制御ユニット１２１は、ＵＳＢデバイスの接続検出によりタッチパネル２２ａに識別情報を要求する（Ｔ１６）。タッチパネル２２ａは、変更識別情報を制御ユニット１２１に通知する（Ｔ１７）。なお、制御ユニット１２１は、ＵＳＢデバイスであるタッチパネル２２ａに対するコンフィギュレーションで識別情報を取得することができる（Ｔ１６，１７）。制御ユニット１２１は、タッチパネル２２ａから通知された変更識別情報が、入力元がＶＧＡ端子２６であるという判別情報を含むことから、タッチパネル２２ａの所属先を店員用のディスプレイ１２７に設定する（Ｔ１８）。これにより、制御ユニット１２１は、人手を介さずにタッチパネル２２ａの設定をおこなうことができる。
【００６５】
映像表示装置２０ｂは、映像信号の入力元がＤＶＩ端子２７であることを検出し（Ｔ２３）、検出結果をタッチパネル２２ｂに通知する（Ｔ２４）。タッチパネル２２ｂは、識別情報記憶部２２２から識別情報を取得し（Ｔ２４）、検出結果すなわち入力元がＤＶＩ端子２７であるという判別情報を含むようにして識別情報を変更する（Ｔ２５）。
【００６６】
制御ユニット１２１は、ＵＳＢデバイスの接続検出によりタッチパネル２２ｂに識別情報を要求する（Ｔ２６）。タッチパネル２２ｂは、変更識別情報を制御ユニット１２１に通知する（Ｔ２７）。なお、制御ユニット１２１は、ＵＳＢデバイスであるタッチパネル２２ｂに対するコンフィギュレーションで識別情報を取得することができる（Ｔ２６，２７）。制御ユニット１２１は、タッチパネル２２ｂから通知された変更識別情報が、入力元がＤＶＩ端子２７であるという判別情報を含むことから、タッチパネル２２ｂの所属先を顧客用のカスタマディスプレイ１２８に設定する（Ｔ２８）。これにより、制御ユニット１２１は、人手を介さずにタッチパネル２２ｂの設定をおこなうことができる。
【００６７】
なお、タッチパネル２２の識別情報変更手順について説明したが、近接センサ２３、Ｗｅｂカメラ２４についても同様である。また、制御ユニット１１１も制御ユニット１２１と同様に周辺装置の設定をおこなうことができる。
【００６８】
次に、第２の実施の形態の変更前の識別情報と変更後の識別情報について図９から図１１を用いて説明する。図９は、第２の実施の形態の変更前の識別情報の一例を示す図である。
【００６９】
チェッカユニット１２０は、２つの映像表示装置２０を備えることから、２つのＷｅｂカメラ２４と、２つの近接センサ２３と、２つのタッチパネル２２を備える。これら、２つのＷｅｂカメラ２４と、２つの近接センサ２３と、２つのタッチパネル２２が従来通りの識別情報（変更前の識別情報）を制御ユニット１２１に通知した場合、制御ユニット１２１は、識別情報（変更前）３００に表したような識別情報を取得する。たとえば、Ｗｅｂカメラ２４の１つは、ＶＩＤ（Vendor ID）「ｘ０００」、ＰＩＤ（Product ID）「ｙ０００」、シリアルＩＤ「ｚ０００」である。もう１つのＷｅｂカメラ２４は、ＶＩＤ「ｘ０００」、ＰＩＤ「ｙ０００」、シリアルＩＤ「ｚ００１」である。
【００７０】
このままでは、制御ユニット１２１は、ＶＩＤ、ＰＩＤ、シリアルＩＤを参照しても、Ｗｅｂカメラ２４の所属先が店員用のディスプレイ１２７であるのか、顧客用のカスタマディスプレイ１２８であるのか判別できない。
【００７１】
一方、上述したように映像表示装置２０が周辺装置の識別情報を変更した場合、制御ユニット１２１は、図１０と図１１に示すような識別情報を取得する。図１０と図１１は、第２の実施の形態の変更後の識別情報の一例を示す図である。
【００７２】
ＶＧＡ端子入力のある映像表示装置２０ａが備えるＷｅｂカメラ２４と、近接センサ２３と、タッチパネル２２は、識別情報（変更後）３１０に表したような識別情報を制御ユニット１２１に通知する。たとえば、Ｗｅｂカメラ２４は、ＶＩＤ「ｘ０００」、ＰＩＤ「ｙ００１」、シリアルＩＤ「ｚ０００」である。
【００７３】
ＤＶＩ端子入力のある映像表示装置２０ｂが備えるＷｅｂカメラ２４と、近接センサ２３と、タッチパネル２２は、識別情報（変更後）３２０に表したような識別情報を制御ユニット１２１に通知する。たとえば、Ｗｅｂカメラ２４は、ＶＩＤ「ｘ０００」、ＰＩＤ「ｙ００２」、シリアルＩＤ「ｚ００１」である。
【００７４】
すなわち、ＶＧＡ端子入力のある映像表示装置２０ａが備える周辺装置は、ＰＩＤの１桁目を「１」にし、ＤＶＩ端子入力のある映像表示装置２０ｂが備える周辺装置は、ＰＩＤの１桁目を「２」にする。これにより、制御ユニット１２１は、Ｗｅｂカメラ２４がＶＧＡ端子入力のある映像表示装置２０ａに備えられるのか、ＤＶＩ端子入力のある映像表示装置２０ｂに備えられるのか判別できる。
【００７５】
なお、制御ユニット１２１が判別可能であればよいので、識別情報の変更は、ＰＩＤの１桁目を変更するものに限らず、任意の情報（たとえば、ＶＩＤやシリアルＩＤ、その他の情報など）を任意の態様で変更することができる。
【００７６】
また、制御ユニット１２１は、ＰＩＤ、ＶＩＤ、またはシリアルＩＤ、その他の情報のうちいずれか１つを識別情報としてもよいし、２以上の情報の組合せを識別情報としてもよい。なお、識別情報は、文字または数字の他、これらの組合せなど任意の態様であってよい。また、識別情報は、８文字、１６進４桁など、任意の大きさであってよい。
【００７７】
次に、映像信号入力検出処理について図１２を用いて説明する。図１２は、第２の実施の形態の映像信号入力検出処理のフローチャートである。
映像信号入力検出処理は、映像処理チップ５３が映像信号の入力を検出して周辺装置に識別情報の変更を指示する処理である。映像信号入力検出処理は、映像表示装置２０の起動により検出部５５によって実行される。
【００７８】
［ステップＳ１１］検出部５５は、映像処理チップ５３に映像信号を入力する映像信号入力端子を検出する。
［ステップＳ１２］検出部５５は、初めての映像信号入力端子の検出か否かを判定する。検出部５５は、初めての映像信号入力端子の検出である場合にステップＳ１４にすすみ、初めての映像信号入力端子の検出でない場合にステップＳ１３にすすむ。
【００７９】
［ステップＳ１３］検出部５５は、映像信号入力端子に変更（すなわち、映像信号入力の差し替え）があるか否かを判定する。検出部５５は、映像信号入力端子に変更がある場合にステップＳ１４にすすみ、変更がない場合にステップＳ１１にすすむ。
【００８０】
［ステップＳ１４］検出部５５は、映像信号入力端子の検出を受けて、映像信号入力端子がＶＧＡ端子２６であるかＤＶＩ端子２７であるかを判別可能にする判別情報を設定する。
【００８１】
［ステップＳ１５］検出部５５は、初めての映像信号入力端子の検出か否かを判定する。検出部５５は、初めての映像信号入力端子の検出である場合にステップＳ１７にすすみ、初めての映像信号入力端子の検出でない場合にステップＳ１６にすすむ。
【００８２】
［ステップＳ１６］検出部５５は、稼働中に映像信号入力端子の変更があったとして、周辺装置を再起動する。これにより、外部装置は、周辺装置の再起動を検出して周辺装置の再設定をおこなうことができる。検出部５５は、周辺装置に対して再起動を指示してもよいし、周辺装置に供給する電源の遮断と再投入により再起動をおこなうようにしてもよい。
【００８３】
［ステップＳ１７］検出部５５は、周辺装置に判別情報を通知し、識別情報変更指示をおこない、映像信号入力検出処理を終了する。
次に、識別情報変更処理について図１３を用いて説明する。図１３は、第２の実施の形態の識別情報変更処理のフローチャートである。
【００８４】
識別情報変更処理は、周辺装置が識別情報を変更する処理である。識別情報変更処理は、検出部５５からの識別情報変更指示により周辺装置（Ｗｅｂカメラ２４、近接センサ２３、タッチパネル２２）の生成部（生成部２２１，２３１，２４１）によってそれぞれ実行される。以下、制御ユニット１２１と接続するタッチパネル２２が実行する識別情報変更処理について説明する。
【００８５】
［ステップＳ２１］生成部２２１は、検出部５５から受けた識別情報変更指示から判別情報を取得する。
［ステップＳ２２］生成部２２１は、識別情報記憶部２２２からＰＩＤを取得する。
【００８６】
［ステップＳ２３］生成部２２１は、判別情報を含めてＰＩＤを変更する。
［ステップＳ２４］生成部２２１は、制御ユニット１２１に更新したＰＩＤをメモリに保存し、識別情報変更処理を終了する。
【００８７】
なお、タッチパネル２２は、ＰＩＤを保存するメモリを揮発性メモリ（たとえば、ＲＡＭ）としてＰＩＤの変更をタッチパネル２２の起動中限りとする。また、タッチパネル２２は、ＰＩＤを保存するメモリを不揮発性メモリ（たとえば、フラッシュメモリ）としてＰＩＤの変更を任意の期間中に有効としてもよい。
【００８８】
このようにして、映像表示装置２０は、映像表示装置２０が備える周辺装置を、外部装置によって判別可能にすることができる。
次に、周辺装置設定処理について図１４を用いて説明する。図１４は、第２の実施の形態の周辺装置設定処理のフローチャートである。
【００８９】
周辺装置設定処理は、外部装置（制御ユニット１１１，１２１）が周辺装置の所属を設定する処理である。周辺装置設定処理は、周辺装置からの識別情報更新の通知を受けて実行される。以下、制御ユニット１２１が実行する周辺装置設定処理について説明する。
【００９０】
［ステップＳ３１］制御ユニット１２１は、Ｗｅｂカメラ２４の１つから識別情報を取得する。
［ステップＳ３２］制御ユニット１２１は、取得した識別情報のうちＰＩＤに含まれる判別情報が顧客向けであるか否かを判定する。制御ユニット１２１は、判別情報が顧客向けである場合にステップＳ３３にすすみ、判別情報が顧客向けでない場合にステップＳ３４にすすむ。
【００９１】
［ステップＳ３３］制御ユニット１２１は、識別情報を判定したＷｅｂカメラ２４を顧客用設定とする。なお、顧客用設定をおこなわないＷｅｂカメラ２４は、デフォルトで店員用設定となる。
【００９２】
［ステップＳ３４］制御ユニット１２１は、すべてのＷｅｂカメラ２４について識別情報の判定をおこなったか否かを判定する。制御ユニット１２１は、全部のＷｅｂカメラ２４について判定している場合にステップＳ３５にすすみ、全部のＷｅｂカメラ２４について判定していない場合にステップＳ３１にすすむ。
【００９３】
［ステップＳ３５］制御ユニット１２１は、近接センサ２３の１つから識別情報を取得する。
［ステップＳ３６］制御ユニット１２１は、取得した識別情報のうちＰＩＤに含まれる判別情報が顧客向けであるか否かを判定する。制御ユニット１２１は、判別情報が顧客向けである場合にステップＳ３７にすすみ、判別情報が顧客向けでない場合にステップＳ３８にすすむ。
【００９４】
［ステップＳ３７］制御ユニット１２１は、識別情報を判定した近接センサ２３を顧客用設定とする。なお、顧客用設定をおこなわない近接センサ２３は、デフォルトで店員用設定となる。
【００９５】
［ステップＳ３８］制御ユニット１２１は、すべての近接センサ２３について識別情報の判定をおこなったか否かを判定する。制御ユニット１２１は、全部の近接センサ２３について判定している場合にステップＳ３９にすすみ、全部の近接センサ２３について判定していない場合にステップＳ３５にすすむ。
【００９６】
［ステップＳ３９］制御ユニット１２１は、タッチパネル２２の１つから識別情報を取得する。
［ステップＳ４０］制御ユニット１２１は、取得した識別情報のうちＰＩＤに含まれる判別情報が顧客向けであるか否かを判定する。制御ユニット１２１は、判別情報が顧客向けである場合にステップＳ４１にすすみ、判別情報が顧客向けでない場合にステップＳ４２にすすむ。
【００９７】
［ステップＳ４１］制御ユニット１２１は、識別情報を判定したタッチパネル２２を顧客用設定とする。なお、顧客用設定をおこなわないタッチパネル２２は、デフォルトで店員用設定となる。
【００９８】
［ステップＳ４２］制御ユニット１２１は、すべてのタッチパネル２２について識別情報の判定をおこなったか否かを判定する。制御ユニット１２１は、全部のタッチパネル２２について判定していない場合にステップＳ３９にすすみ、全部のタッチパネル２２について判定している場合に周辺装置設定処理を終了する。
【００９９】
このようにして、制御ユニット１２１は、制御ユニット１２１に接続する周辺装置の設定をおこなうことができる。これにより、制御ユニット１２１は、制御ユニット１２１に接続する周辺装置の設定にかかる人的コストを削減するとともに、設定ミスを抑制することができる。
【０１００】
なお、タッチパネル２２ａとタッチパネル２２ｂのいずれもが、判別情報を含むようにして識別情報を変更したが、ＶＧＡ端子入力またはＤＶＩ端子入力のうちいずれか一方を検出したタッチパネル２２が識別情報を変更するものであってもよい。
［第３の実施の形態］
次に、第３の実施の形態の映像表示装置のハードウェア構成について図１５を用いて説明する。図１５は、第３の実施の形態の映像表示装置のハードウェア構成例を示す図である。第３の実施の形態の映像表示装置６０は、ＵＳＢハブ６１が生成部６３を備える点で第２の実施の形態の映像表示装置２０と異なる。第３の実施の形態の説明では、第２の実施の形態と同様の構成について符号を同じにして説明を省略する。
【０１０１】
映像表示装置６０は、映像入力インタフェース５１と、映像入力インタフェース５２と、映像処理チップ５３と、ＬＣＤモニタ２１と、周辺装置としてＵＳＢ機器（ＵＳＢハブ６１、タッチパネル２２４、近接センサ２３４、Ｗｅｂカメラ２４４）を備える。
【０１０２】
映像処理チップ５３が備える検出部５５は、検出結果（入力元）をＵＳＢハブ６１に通知する。ＵＳＢハブ６１は、ＵＳＢ機器を接続可能な複数の下流ポートを有し、ＵＳＢ端子２９を上流ポートとする。ＵＳＢハブ６１は、通信部６２と生成部６３を含む。通信部６２は、タッチパネル２２４、近接センサ２３４、Ｗｅｂカメラ２４４の通信部２２３，２３３，２４３からの通信を中継する。したがって、ＵＳＢハブ６１は、タッチパネル２２４、近接センサ２３４、Ｗｅｂカメラ２４４にとって通信を中継する中継装置である。
【０１０３】
生成部６３は、検出部５５から通知された検出結果にもとづいて、映像表示装置６０が映像入力インタフェース５１と映像入力インタフェース５２のうちいずれの映像信号にもとづく表示をおこなっているかを判別可能な判別情報を取得する。生成部６３は、取得した判別情報を、通信部６２が中継する通信に含まれる識別情報に付加する。
【０１０４】
これにより、外部装置は、周辺装置が、ＶＧＡ端子２６からの映像信号入力にもとづく表示をおこなう映像表示装置２０に備えられるのか、またはＤＶＩ端子２７からの映像信号入力にもとづく表示をおこなう映像表示装置２０に備えられるのかを判別可能になる。
【０１０５】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１０６】
１，２０，６０  映像表示装置
２  第１映像信号入力部
３  第２映像信号入力部
４，５５  検出部
５  表示部
６  周辺装置
７，６２，２２３，２３３，２４３  通信部
８，６３，２２１，２３１，２４１  生成部
９  識別情報記憶部
１０  第１識別情報
１１  判別情報
１２  第２識別情報
１３  外部装置
２１  ＬＣＤモニタ
２２，２２４  タッチパネル
２３，２３４  近接センサ
２４，２４４  Ｗｅｂカメラ
５１，５２  映像入力インタフェース
５３  映像処理チップ
５４  映像処理部
５７，６１  ＵＳＢハブ
１００  ＰＯＳシステム
１０１  ＰＯＳ端末装置
１１０  キャッシャユニット
１１１，１２１  制御ユニット
１１７，１２７  ディスプレイ
１１８，１２８  カスタマディスプレイ
１２０  チェッカユニット
２２２，２３２，２４２  識別情報記憶部
【図１】
2014149630.tif 000003
【図２】
2014149630.tif 000004
【図３】
2014149630.tif 000005
【図４】
2014149630.tif 000006
【図５】
2014149630.tif 000007
【図６】
2014149630.tif 000008
【図７】
2014149630.tif 000009
【図８】
2014149630.tif 000010
【図９】
2014149630.tif 000011
【図１０】
2014149630.tif 000012
【図１１】
2014149630.tif 000013
【図１２】
2014149630.tif 000014
【図１３】
2014149630.tif 000015
【図１４】
2014149630.tif 000016
【図１５】
2014149630.tif 000017